(57)【特許請求の範囲】
【請求項１】
大型の箱状ケーシング内に各種機器および配管が収納されたパッケージの内面側で、開閉自在なカバー１とケーシング本体２との開閉部に配置されたカバーロックのための締結用ファスナにおいて、
そのケーシング本体２の内壁面３で、その開放部に隣接してベース11が固定され、その内壁面３に沿って平行に回動されるようにそのベース11に開閉用ハンドル４が軸支され、そのハンドル４に係止用フック部材５が連結されて、それが前記内壁面３に平行に移動するファスナ本体６と、
前記カバー１の内面で、前記ファスナ本体６に対向して固定され、前記係止用フック部材５が係脱自在に係合するロック部材７と、
を具備し、
前記ハンドル４の長手方向に軸線が位置し、その軸線回りに回動自在となるようにそのハンドル４内に収納されて軸支されたネジ棒８と、
そのネジ棒８に螺着され、前記ハンドル４の長手方向に形成されたスリット９に一端が案内されるスライド部材10と、
を具備し、そのスライド部材10に前記係止用フック部材５の一端部が、そのハンドル４と平行する方向に回動するように軸支された機器用パッケージカバーの締結用ファスナ。
【請求項２】
請求項１において、
前記ハンドル４の先端側が平行な一対の細長い板状に形成され、その先端部が前記内壁面３に直交する軸線の回りに回動するようにベース11に軸支され、その一対の板状部12内に前記ネジ棒８が収納されると共に、そのハンドル４の後端部が前記内壁面３から離れる方向に曲折されて把持部13を構成した機器用パッケージカバーの締結用ファスナ。
【発明の詳細な説明】
【０００１】
【発明の属する技術分野】
本発明は、各種プラントにおいて各種機器を収納する大型のケーシングであって、その一部を開閉するカバーとケーシング本体とをその内面側から係脱自在にロックする締結用ファスナに関する。
【０００２】
【従来の技術】
従来の大型パッケージカバーの締結用ファスナは、図５及び図６の如く取付けられていた。ケーシング本体２の内壁面３にベース11が固定され、そのベース11にハンドル４の先端部が支軸14で支持され、そのハンドル４の中間部に係止用フック部材５の後端部がフック支持軸24で支持されている。そしてカバー１の内面側にロック部材７が突設され、そのロック部材７に係止用フック部材５が係脱自在に係止される。このときハンドル４は、図５においてその後端がハンドル回動軌跡23上を移動する。図６は図５のVI−VI断面矢視略図であり、そのハンドル回動軌跡23が内壁面３からケーシング本体２の内側に大きく突出することになる。
【０００３】
【発明が解決しようとする課題】
図５及び図６の如く、締結用ファスナ21のハンドル４を回動して係止用フック部材５をロック部材７に係脱自在に係止する場合、そのハンドル回動軌跡23が内壁面３から大きく内側に飛び出し、そこの部分にデットスペースが生じる。即ち、配管22または機器等をデットスペースから内側に移動する必要があり、ケーシング本体２の内部を有効に利用できない欠点があった。
そこで本発明は、カバー１の内側に回転軌跡が大きく飛び出すことのない締結用ファスナを提供することを課題とする。
【０００４】
【課題を解決するための手段】
請求項１に記載の本発明は、大型の箱状ケーシング内に各種機器および配管が収納されたパッケージの内面側で、開閉自在なカバー１とケーシング本体２との開閉部に配置されたカバーロックのための締結用ファスナにおいて、
そのケーシング本体２の内壁面３で、その開放部に隣接してベース11が固定され、その内壁面３に沿って平行に回動されるようにそのベース11に開閉用ハンドル４が軸支され、そのハンドル４に係止用フック部材５が連結されて、それが前記内壁面３に平行に移動するファスナ本体６と、
前記カバー１の内面で、前記ファスナ本体６に対向して固定され、前記係止用フック部材５が係脱自在に係合するロック部材７と、を具備し、
前記ハンドル４の長手方向に軸線が位置し、その軸線回りに回動自在となるようにそのハンドル４内に収納されて軸支されたネジ棒８と、
そのネジ棒８に螺着され、前記ハンドル４の長手方向に形成されたスリット９に一端が案内されるスライド部材10と、
を具備し、そのスライド部材10に前記係止用フック部材５の一端部が、そのハンドル４と平行する方向に回動するように軸支された機器用パッケージカバーの締結用ファスナである。
【０００５】
請求項２に記載の本発明は、請求項１において、前記ハンドル４の先端側が平行な一対の細長い板状に形成され、その先端部が前記内壁面３に直交する軸線の回りに回動するようにベース11に軸支され、その一対の板状部12内に前記ネジ棒８が収納されると共に、そのハンドル４の後端部が前記内壁面３から離れる方向に曲折されて把持部13を構成した機器用パッケージカバーの締結用ファスナである。
【０００６】
【発明の実施の形態】
次に、図面に基づいて本発明の実施の形態につき説明する。
図１は本発明の締結用ファスナの一部破断正面図であり、図２はその一部破断右側面図である。また、図３はハンドル４を回動したときの係止用フック部材５の移動状態を示し、図４は同ファスナの係止用フック部材５の係止位置調整機構を示す斜視図である。
この締結用ファスナは、ケーシング本体２の内面に取付けられるファスナ本体６と、カバー１の内面に取付けられるロック部材７とを有する。ファスナ本体６は、ベース11とハンドル４と係止用フック部材５とを有する。ベース11はケーシング本体２の内壁面３に溶接等の手段により固定され、一側が開放された短い溝型に形成され、その内部にハンドル４と係止用フック部材５とが収納される。ハンドル４は一対の金属板を折り曲げて、その先端部が互いに平行になるように対向すると共に、後端部は重ね合わせれて、その重ね合わせ部が僅かに台形状に曲折形成される。また、一対の細長い金属板の重ね合わされる直前の閉塞部には工具挿通孔20が穿設されている。
【０００７】
このハンドル４は図４に示す如く、夫々対向する上下一対（上側省略）の金属板にスリット９が穿設されている。それと共に、ハンドル４の先端部には支軸14の挿通孔（図１）が穿設されている。そして図１及び図４に示す如く、支軸14を介してハンドル４の先端部がベース11に軸支され、そのハンドル４が内壁面３に平行な軌跡で回動自在とされている。支軸14は、その軸線方向中央位置において貫通孔が形成され、そこにネジ棒８の先端の小径軸19が挿通され、その先端部が抜け止めされている。そしてネジ棒８が支軸14に軸支され、ネジ棒８はその軸線回りに回動自在とされている。このネジ棒８にはスライド部材10が螺着されている。このスライド部材10は図４に示す如く、ネジ棒８に直交する方向に平面円形の凸部が突出され、その突出部がハンドル４のスリット９に案内されている。それと共に、このスライド部材10には係止用フック部材５の後端部が軸支されている。そしてハンドル４の工具挿通孔20から挿通したドライバーの先端をネジ棒８の後端に嵌着して回動することにより、スライド部材10をスリット９内に移動させ、それに基づいて係止用フック部材５を適宜出入自在に突出するように移動調整することができる。
【０００８】
【使用方法】
図１〜図４の如く形成された本ファスナは、ハンドル４を内壁面３の平面に平行に回動することにより、それに伴って係止用フック部材５が回動し、その先端が軸部16に係脱自在に係止する。なお、係脱の前に予めネジ棒８を回動し、スライド部材10をスリット９内に移動させ、係止用フック部材５の突出長さを調整しておく。
そして図２の状態から図３の如く回動することにより、軸部16と係止用フック部材５との係合を外し、カバー１をケーシング本体２から開放することができる。またそれとは逆にカバー１とケーシング本体２とを締結するには、図３の状態から図２の状態に移動し、係止用フック部材５の先端を軸部16に係止させればよい。
【０００９】
【発明の作用・効果】
請求項１に記載の締結用ファスナは、ケーシング本体２の内壁面３にベース11が固定され、そのベース11にハンドル４が軸支されて、それが内壁面３に沿って平行に回動する。そしてそのハンドル４に係止用フック部材５が連結され、それがカバー１の内面のロック部材７に係脱自在に係合するものである。
従って、ファスナの係脱のための回動軌跡を内壁面に沿って設けたため、パッケージ内において内壁面近傍に配管等の機器を設置することが容易となり、ケーシング内を有効に利用できる。
さらに、ハンドル４内にネジ棒８が収納されて軸支され、そのネジ棒８にスライド部材10が螺着されてスリット９内を移動し、スライド部材10に係止用フック部材５の一端部が軸支されたものであるから、係止用フック部材５とロック部材７との位置合わせを容易に行い得ると共に、全体としてコンパクトな締結用ファスナを提供できる。
請求項２に記載の発明は、ハンドル４の先端側が平行な一対の板状に細長く形成され、その内部にネジ棒８が収納されると共に、ハンドル４の後端部が内壁面３から離れる方向に曲折されて把持部13を構成したものである。そのため、ネジ棒８の回動を容易にし、且つ作業者が持ち易い把持部13を有し、取扱い易い締結用ファスナとなり得る。
【図面の簡単な説明】
【図１】本発明の締結用ファスナの一部破断正面図。
【図２】同ファスナの一部破断右側面図。
【図３】同ファスナのハンドル４を回動したときの係止用フック部材５の移動状態を示す説明図。
【図４】同ファスナの係止用フック部材５の係止位置調整機構を示す斜視図。
【図５】従来型ファスナの正面説明図。
【図６】図５のVI−VI矢視断面略図。
【符号の説明】
１  カバー
２  ケーシング本体
３  内壁面
４  ハンドル
５  係止用フック部材
６  ファスナ本体
７  ロック部材
８  ネジ棒
９  スリット
10  スライド部材
11  ベース
12  板状部
13  把持部
14  支軸
15  頭部
16  軸部
17  取付部
18  孔
19  小径軸
20  工具挿通孔
21  締結用ファスナ
22  配管
23  ハンドル回動軌跡
24  フック支持軸
【図１】
0004207174.tif 000002
【図２】
0004207174.tif 000003
【図３】
0004207174.tif 000004
【図４】
0004207174.tif 000005
【図５】
0004207174.tif 000006
【図６】
0004207174.tif 000007